(57)【要約】      （修正有）【課題】  充電池の収納構造を簡略化し、ガタ付きを確実に抑える。【解決手段】  スピーカを備え耳孔に挿入されるイヤホン部と、一端側にマイクを備えた本体部とを有し、これらが一体化されてなるヘッドセットである。本体部には、所定の回路が形成されたプリント基板７及び電源となる充電池８が収納されており、充電池は、プリント基板と本体部筐体４ａの間にクッション材９，１０を介して挟持されている。クッション材が弾力を有することから、充電池の充放電に伴う膨張、収縮を吸収することができ、常にガタ付きのない固定状態が維持される。【選択図】  図３
2005109940.tif 000002
【特許請求の範囲】
【請求項１】
スピーカを備え耳孔に挿入されるイヤホン部と、一端側にマイクを備えた本体部とを有し、これらが一体化されてなるヘッドセットにおいて、
上記本体部には、所定の回路が形成されたプリント基板及び電源となる充電池が収納されており、
上記充電池は、上記プリント基板と本体部筐体の間にクッション材を介して挟持されていることを特徴とするヘッドセット。
【請求項２】
上記クッション材は、スポンジにより形成されていることを特徴とする請求項１記載のヘッドセット。
【請求項３】
上記プリント基板の充電池との対向面に実装される部品の表面に上記クッション材が設けられていることを特徴とする請求項１記載のヘッドセット。
【発明の詳細な説明】
【技術分野】
【０００１】
本発明は、耳に装着して無線通話等を行うヘッドセットに関するものであり、特に、電源である充電池の収納構造の改良に関する。
【背景技術】
【０００２】
ハンズフリーでの通話を可能とする装置として、スピーカやマイクを内蔵し、耳に装着して使用する、いわゆるヘッドセットが知られている。ヘッドセットの形態としては、いわゆるヘッドホンスタイルのものが多用されており、いずれか一方の耳当てからマイクが口元まで延長された形態のものが一般的である。
【０００３】
これに対して、無線通信のためのマイクロホンやスピーカ、回路基板、充電池等を全てカバーにて密閉されたケース部材内に収容し、より一層の小型化を図ったものが開発されている。このようなヘッドセットでは、指向性の高いマイクロホンを使用することで、マイクを口元まで延長する必要をなくし、使用感の一層の向上が図られている。
【０００４】
ところで、このようなヘッドセットにおいては、ケース部材内に充電池を収容する必要があり、その取り付け構造が小型化の鍵を握っている。すなわち、ヘッドセットは、耳に装着して使用するものであるため、ガタ付き等が生ずると、その音が直接耳に響き、使用感を大きく損なうことになる。
【０００５】
このようなガタ付きを防止するための電池の収納構造としては、板金部品等の弾性を有する押さえ片等により電池を押圧し、固定する構造が提案されている（例えば、特許文献１等を参照）。この特許文献１記載には、電池を支持壁側に押圧する電池押さえや、無線機部分を載置する際の緩衝材となるクッションを配置してなる電池固定装置が開示されている。
【特許文献１】特開平６−２４３８４７号公報
【発明の開示】
【発明が解決しようとする課題】
【０００６】
しかしながら、このような電池押さえを設ける構造では、装置構成が複雑なものとなり、小型化を進める上で妨げとなる。また、特に、充電池の場合、充放電に伴って若干収縮する特性があり、例えば充電時には膨らむことから、余裕を持たせて収納することが必要になるが、このような余裕を持たせるとガタ付きの原因となる虞れがある。
【０００７】
そこで本発明は、このような従来の実情に鑑みて提案されたものであり、構造を簡略化することができ、ガタ付きを確実に抑えることが可能な充電池の収納構造を提供し、小型化が可能で使用感に優れたヘッドセットを提供することを目的とする。
【課題を解決するための手段】
【０００８】
上述の目的を達成するために、本発明のヘッドセットは、スピーカを備え耳孔に挿入されるイヤホン部と、一端側にマイクを備えた本体部とを有し、これらが一体化されてなるヘッドセットにおいて、上記本体部には、所定の回路が形成されたプリント基板及び電源となる充電池が収納されており、上記充電池は、上記プリント基板と本体部筐体の間にクッション材を介して挟持されていることを特徴とする。
【０００９】
本発明のヘッドセットでは、内蔵される充電池をクッション材を介してプリント基板と
本体部筐体の間に挟み込むだけで収納固定している。したがって、電池押さえ等の電池を固定するための部材が特段必要なく、電池収納のための構造が大幅に簡略化される。また、クッション材が弾力を有することから、充電池の膨張、収縮を吸収することができ、常にガタ付きのない固定状態が維持される。
【発明の効果】
【００１０】
以上の説明からも明らかなように、本発明のヘッドセットによれば、充電池の収納構造を簡略化しながらガタ付きを確実に抑えることができるので、小型化が可能で使用感に優れたヘッドセットを提供することが可能である。
【発明を実施するための最良の形態】
【００１１】
以下、本発明を適用したヘッドセットについて、図面を参照して詳細に説明する。
【００１２】
本発明のヘッドセット１は、図１に示すように、略々たまご形の本体部２と、イヤホン部３とからなり、このイヤホン部３を使用者の耳孔に挿入することで装着される。そして、本体部２には、装着時に装着者の口の近くまで張り出す先端部分に集音用のマイクロホンが収容されており、装着者の耳孔内に挿入されるイヤホン部３には、スピーカがそれぞれ収容されている。マイクロホンが収容された側が前方となるように装着すれば、使用者は、受信した音声をイヤホン部３で聞き、マイクロホンを通じて音声を送信することができる。
【００１３】
上述したような構成のヘッドセット１において、本体部２やイヤホン部３はプラスチック製のケースにより覆われているが、このプラスチック製のケースは、略楕円形の浅皿状を呈する本体ケース部４ａと、この本体ケース部４ａの底面外側に設けられたイヤホンケース部４ｂとからなるケース部材４と、このケース部材４の本体ケース部４ａの開放面側を覆うように強固に取り付けられる略楕円形状のドーム状を呈するカバー部材５と、ケース部材４のイヤホンケース部４ｂの開放面側を覆うように強固に取り付けられるイヤホンカバー部材６とから構成されている。
【００１４】
ケース部材４には、本体部２を構成する本体ケース部４ａ部分に上述したマイクロホンや、回路基板等の電子部品、及びこれらの電源となる電池が収容されている。また、ケース部材４には、本体ケース部４ａの後方側にストラップ取付部２３が孔部として設けられている。さらに、ケース部材４のイヤホンケース部４ｂ部分には、スピーカが収容されており、イヤホン部３を構成している。
【００１５】
上述の通り、本体ケース部４ａには、回路基板であるプリント基板や電源となる充電池が収納されているが、以下、これらの収納構造について説明する。
【００１６】
図２は、本発明のヘッドセット１におけるプリント基板７及び充電池８の収納状態を分解して示すものである。充電池８は、本体ケース部４ａの球面状の凹部に収容され、この上に覆い被せる形でプリント基板７が本体ケース部４ａに対して取り付けられる。したがって、充電池８は、本体ケース部４ａの底面とプリント基板７の間の空間において、これら本体ケース部４ａの底面とプリント基板７の間に挟み込まれる形で収納されている。
【００１７】
このとき、単に本体ケース部４ａの底面とプリント基板７とで充電池８を挟み付ける構造とすると、充電池８が充電時に若干膨らむ特性があるため、空間に余裕を持たせる必要があるが、充電池８が放電して収縮した際にガタ付きが生ずる虞れがある。そこで、本実施形態では、上記本体ケース部４ａの底面とプリント基板７の下面に、それぞれクッション材９、１０を設け、充電池８の収納固定状態を安定なものとするとともに、充電池８の膨張、収縮をこのクッション材９、１０で吸収し、ガタ付きが生じないようにしている。
【００１８】
図３は、これらクッション材９、１０を介して充電池８を本体ケース部４ａの底面とプリント基板７とで挟み込んだ状態を示すものである。クッション材９、１０は、例えばスポンジクッション等からなり、これらを充電池８の上下に配することで、安定な取り付け状態を実現することができ、ガタ付きが生ずることもない。また、充電池８を収納するための構成としては、クッション材９、１０を追加するだけでよく、収納構造を極めて簡略化することができ、ヘッドセット１を小型化する上で非常に有利である。
【００１９】
上述の構造において、プリント基板７は、本体ケース部４ａに対して、複数の支持片によって水平方向及び垂直方向の位置決めがなされた上で、フックにより取り付け固定されている。このプリント基板７の本体ケース部４ａへの取り付けを説明すると、図４乃至図６に示すように、本体ケース部４ａには、３カ所のフック１１、１２、１３と、９カ所の位置決め用の支持片１４、１５、１６、１７、１８、１９、２０、２１、２２が設けられており、これらによって水平方向及び垂直方向の位置決めがなされ、取り付け固定されている。
【００２０】
これらフック１１、１２、１３は、いずれもプリント基板７の上面に係止する係止爪１１ａ、１２ａ、１３ａを有し、フック１１はプリント基板７の前方側の端面においてこれを固定する。また、フック１２、１３は、それぞれプリント基板７の両側面に対向して配置され、プリント基板７を側面側から支持し、固定する。
【００２１】
一方、支持片１４、１５は、フック１１の両側に位置し、段差部が設けられ、その底面１４ａ、１５ａでプリント基板７の底面を支持し、垂直方向の位置決めを行うとともに、端面１４ｂ、１５ｂでプリント基板７の前方側の端面の位置規制を行っている。
【００２２】
支持片１６、１７及び支持片１８、１９は、それぞれプリント基板７を側面側から支持するフック１２、１３の両側に隣接して配置されている。各フック１６、１７、１８、１９には、やはり段差部が形成されており、それぞれの底面１６ａ、１７ａ、１８ａ、１９ａでプリント基板７の底面を支持し、垂直方向の位置決めを行う。
【００２３】
また、支持片１６、１８の端面１６ｂ、１８ｂは、プリント基板７の側面に突き当てられ、プリント基板７の図４の上下方向における位置規制を行う。支持片１６、１８の端面１６ｃ、１８ｃは、プリント基板７の突部に突き当てられ、プリント基板７の図４の左右方向における位置規制を行う。同様に、支持片１７、１９の端面１７ｂ、１９ｂは、プリント基板７の側面に突き当てられ、プリント基板７の図４の上下方向における位置規制を行う。支持片１７、１９の端面１７ｃ、１９ｃは、プリント基板７の突部に突き当てられ、プリント基板７の図４の左右方向における位置規制を行う。
【００２４】
支持片２０、２１は、プリント基板７の底面を支持して、垂直方向の位置決めを行うために設けられている。支持片２２も、プリント基板７の底面を支持して、垂直方向の位置決めを行うためものであるが、その中央部に突起２２ａが設けられ、この突起２２ａがプリント基板７に設けられた微小な切り込みに嵌合される。プリント基板７の図４における右側の端面には、フックが設けられておらず、したがって、先のフック１１と支持片２２の突起２２ａによって、プリント基板７の図４中左右方向の位置規制が行われる。
【００２５】
以上のようにしてプリント基板７を本体ケース部４ａに取り付けることにより、例えばネジ止め等を要することなく、プリント基板７を本体ケース部４ａに装着することが可能である。それと同時に、充電池８の収納固定も行われる。プリント基板７は、フック１１、１２、１３の係止を解除することで簡単に取り外すことができ、したがって、充電池８の交換等も容易に行うことができる。
【図面の簡単な説明】
【００２６】
【図１】本発明を適用したヘッドセットの一例を示す側面図である。
【図２】ヘッドセットの分解斜視図である。
【図３】充電池の収納状態を示す側面図である。
【図４】本体ケース部の平面図である。
【図５】本体ケース部の正面図である。
【図６】本体ケース部の側面図である。
【符号の説明】
【００２７】
１  ヘッドセット
２  本体部
４  ケース部材
４ａ  本体ケース部
５  カバー部材
７  プリント基板
８  充電池
９，１０  クッション材
１１，１２，１３  フック
１４，１５，１６，１７，１８，１９，２０，２１，２２  支持片
【図１】
2005109940.tif 000003
【図２】
2005109940.tif 000004
【図３】
2005109940.tif 000005
【図４】
2005109940.tif 000006
【図５】
2005109940.tif 000007
【図６】
2005109940.tif 000008